(57)【要約】【課題】背凭シートがウォークインさせたときの所定位置への後方移動復帰操作が必要である課題。【解決手段】スライド機構５により前後移動自在の座席シート２と、リクライニング機構４により傾斜回動中心軸１４中心に傾斜角度調節自在の背凭シート３とを有し、該背凭シート３を所定傾斜角度の着座位置から前倒れさせると、前記スライド機構５のロックを解除してシート全体を前進させて後側のシートとの間に乗降空間を形成するウォークインするように構成し、前記スライド機構５は前記背凭シート３を前倒れさせてウォークインさせた状態からシート全体を後進させると、所定位置にて停止させてロックするように構成した車両用シート。【選択図】図２５
2008068721.tif 000002
【特許請求の範囲】
【請求項１】
スライド機構５により前後移動自在の座席シート２と、リクライニング機構４により傾斜回動中心軸１４中心に傾斜角度調節自在の背凭シート３とを有し、該背凭シート３を所定傾斜角度の着座位置から前倒れさせると、前記スライド機構５のロックを解除してシート全体を前進させて後側のシートとの間に乗降空間を形成するウォークインするように構成し、前記スライド機構５は前記背凭シート３を前倒れさせてウォークインさせた状態からシート全体を後進させると、所定位置にて停止させてロックするように構成した車両用シート。
【請求項２】
請求項１において、前記リクライニング機構４は、リクライニング用操作レバー１５またはウォークイン用操作部材６７の何れでも前記リクライニング機構４のアンロック操作可能に構成し、かつ、前記ウォークイン用操作部材４６により前記背凭シート３を前倒れさせてウォークインさせた後に、ウォークイン位置からシート全体を後進させると、所定位置にて停止させてロックするように構成した車両用シート。
【請求項３】
請求項１または請求項２において、前記スライド機構５は、ウォークイン用操作部材４６またはスライド用操作部材の何れでも操作可能に構成し、ウォークイン用操作部材４６により前記背凭シート３を前倒れのままウォークイン位置からシート全体を後進させると、所定位置にて停止させてロックするように構成した車両用シート。
【請求項４】
請求項１または請求項２または請求項３において、前記スライド機構５は、ウォークイン用操作部材４６により前記背凭シート３を前倒れのままウォークイン位置からシート全体を後進させたとき、所定位置まで後進させると停止させてロックすると共に、前記所定位置より手前で前記背凭シート３を着座状態に起こすと、起こした位置にて停止させてロックするように構成した車両用シート。
【請求項５】
請求項１または請求項２または請求項３または請求項４において、前記スライド機構５のスライドロック機構５Ａは、スライドロック片７２を係合孔７１に係脱変位させるスライドリンク杆７３と、該スライドリンク杆７３の当接部７５に当接してスライドロック片７２をロックするように変位させるスライド用クランク７６およびウォークイン用クランク８０とを有して構成し、前記スライド用クランク７６はスライドレール９の車体側に固定のロアーレールの所定位置に設けた所定位置停止用ストッパ８８とは無関係にシート全体を前後させて所望位置にて前記スライドリンク杆７３の当接部７５から離脱するように構成し、前記ウォークイン用クランク８０は、前記所定位置停止用ストッパ８８に当接すると回動するメモリー体８６により、前記スライドリンク杆７３の当接部７５から離脱するように構成した車両用シート。
【請求項６】
請求項５において、前記ウォークイン用クランク８０には、前記メモリー体８６が当接するウォークイン用ローラ８３を有するアーム８１の基部を回動自在に取付け、前記所定位置停止用ストッパ８８に前記メモリー体８６が当接すると、該メモリー体８６はウォークイン用クランク８０に対して前記ウォークイン用ローラ８３を回動させて前記スライドリンク杆７３の当接部７５から離脱させるように構成し、もって、前記スライドロック片７２を係合孔７１にロックさせると共に、前倒れさせた背凭シート３が元の着座状態に復帰すると、前記ウォークイン用クランク８０は元の位置に復帰して前記スライドリンク杆７３の当接部７５から離脱するように構成した車両用シート。
【請求項７】
請求項６において、前記スライド用クランク７６と前記ウォークイン用クランク８０は、座席シート２側のスライドレール９に設けた支持ブラケット１０の取付軸７７に同軸上に配置し、前記メモリー体８６は前記ウォークイン用ローラ８３にのみ当接するように配置した車両用シート。
【請求項８】
請求項１または請求項２または請求項３または請求項４または請求項５または請求項６または請求項７において、前記背凭シート３には、該背凭シート３を前倒れさせるように付勢するバネ４２を設け、バネ４２の弾力は、スライド機構５による座席シート２の移動抵抗より強く構成した車両用シート。
【発明の詳細な説明】
【技術分野】
【０００１】
本発明は、車両用シートに係るものであり、特に、前方の車両用シートを前側に移動させて、後側にある車両用シートとの間に、乗降空間を形成するウォークイン装置に関するものである。
【背景技術】
【０００２】
従来、着座位置の背凭シートを前倒れさせると、スライド機構のロックを解除してシート全体を前進させるウォークイン機構は、公知である（特許文献１参照）。
【特許文献１】特開２００４−１５５２２８号公報
【発明の開示】
【発明が解決しようとする課題】
【０００３】
前記公知例は、背凭シートを前倒れさせて、そのまま、シート全体を前進させてウォークイン状態にすると、ウォークイン状態のシートを元に戻すのに、シートを後進させるが、所定位置で停止しないので、その都度、シートの前後位置を調節しなければならず、ウォークイン操作が面倒あるという課題がある。
本願は、ウォークインさせた後のシートの後方移動を、常時、所定位置で停止させると共に、通常のシートの前後調節は支障なく行えるようにして、操作性を向上させたものである。
【課題を解決するための手段】
【０００４】
本発明は、スライド機構５により前後移動自在の座席シート２と、リクライニング機構４により傾斜回動中心軸１４中心に傾斜角度調節自在の背凭シート３とを有し、該背凭シート３を所定傾斜角度の着座位置から前倒れさせると、前記スライド機構５のロックを解除してシート全体を前進させて後側のシートとの間に乗降空間を形成するウォークインするように構成し、前記スライド機構５は前記背凭シート３を前倒れさせてウォークインさせた状態からシート全体を後進させると、所定位置にて停止させてロックするように構成した車両用シートとしたものである。
本発明は、前記リクライニング機構４は、リクライニング用操作レバー１５またはウォークイン用操作部材６７の何れでも前記リクライニング機構４のアンロック操作可能に構成し、かつ、前記ウォークイン用操作部材４６により前記背凭シート３を前倒れさせてウォークインさせた後に、ウォークイン位置からシート全体を後進させると、所定位置にて停止させてロックするように構成した車両用シートとしたものである。
本発明は、前記スライド機構５は、ウォークイン用操作部材４６またはスライド用操作部材の何れでも操作可能に構成し、ウォークイン用操作部材４６により前記背凭シート３を前倒れのままウォークイン位置からシート全体を後進させると、所定位置にて停止させてロックするように構成した車両用シートとしたものである。
本発明は、前記スライド機構５は、ウォークイン用操作部材４６により前記背凭シート３を前倒れのままウォークイン位置からシート全体を後進させたとき、所定位置まで後進させると停止させてロックすると共に、前記所定位置より手前で前記背凭シート３を着座状態に起こすと、起こした位置にて停止させてロックするように構成した車両用シートとしたものである。
本発明は、前記スライド機構５のスライドロック機構５Ａは、スライドロック片７２を係合孔７１に係脱変位させるスライドリンク杆７３と、該スライドリンク杆７３の当接部７５に当接してスライドロック片７２をロックするように変位させるスライド用クランク７６およびウォークイン用クランク８０とを有して構成し、前記スライド用クランク７６はスライドレール９の車体側に固定のロアーレールの所定位置に設けた所定位置停止用ストッパ８８とは無関係にシート全体を前後させて所望位置にて前記スライドリンク杆７３の当接部７５から離脱するように構成し、前記ウォークイン用クランク８０は、前記所定位置停止用ストッパ８８に当接すると回動するメモリー体８６により、前記スライドリンク杆７３の当接部７５から離脱するように構成した車両用シートとしたものである。
本発明は、前記ウォークイン用クランク８０には、前記メモリー体８６が当接するウォークイン用ローラ８３を有するアーム８１の基部を回動自在に取付け、前記所定位置停止用ストッパ８８に前記メモリー体８６が当接すると、該メモリー体８６はウォークイン用クランク８０に対して前記ウォークイン用ローラ８３を回動させて前記スライドリンク杆７３の当接部７５から離脱させるように構成し、もって、前記スライドロック片７２を係合孔７１にロックさせると共に、前倒れさせた背凭シート３が元の着座状態に復帰すると、前記ウォークイン用クランク８０は元の位置に復帰して前記スライドリンク杆７３の当接部７５から離脱するように構成した車両用シートとしたものである。
本発明は、前記スライド用クランク７６と前記ウォークイン用クランク８０は、座席シート２側のスライドレール９に設けた支持ブラケット１０の取付軸７７に同軸上に配置し、前記メモリー体８６は前記ウォークイン用ローラ８３にのみ当接するように配置した車両用シートとしたものである。
本発明は、前記背凭シート３には、該背凭シート３を前倒れさせるように付勢するバネ４２を設け、バネ４２の弾力は、スライド機構５による座席シート２の移動抵抗より強く構成した車両用シートとしたものである。
【発明の効果】
【０００５】
請求項１の発明では、ウォークインさせた後、車両用シート１を後方移動させると、常時、所定位置で停止するので、ウォークインの特に復帰操作の操作性を向上させることができる。
請求項２の発明では、リクライニング用操作レバー１５により背凭シート３を前倒れさせても、ウォークインしないので、誤操作を防止でき、ウォークインの復帰操作を含めて、全体の操作性を向上させることができる。
請求項３の発明では、ウォークイン用操作部材４６によりウォークインさせたときの車両用シート１を後方移動させると、常時、所定位置で停止するので、通常のスライド用操作部材による前後位置調節に支障を与えずに、ウォークインの復帰操作の操作性を向上させることができる。
請求項４の発明では、所定位置より手前で背凭シート３を起立させると、スライド機構５をロックさせて停止させるので、誤操作を防止することができる。
請求項５の発明では、ウォークイン用操作部材４６によりウォークインさせたとき、車両用シート１を後方移動させると、常時、所定位置で停止させることができ、スライド用操作部材による通常の前後位置調節ではウォークイン復帰の所定停止位置とは無関係に位置調節でき、ウォークインの復帰操作およびシートの前後位置調節の両方の操作性を向上させることができ、簡単な構成で、ウォークイン復帰時の所定位置停止を実現できる。
請求項６の発明では、ウォークイン復帰のとき、所定位置停止用ストッパ８８の位置をメモリー体８６が検出して、メモリー体８６がアーム８１を回動させることによりスライドロック片７２をロックさせるから、前倒れさせた背凭シート３を元の傾斜角度に復帰させるための起立操作を頗る容易に行うことができる。即ち、前倒れさせた背凭シート３を起立操作するには所定の操作力が必要となり、車両用シート１が前後に移動可能状態のときには操作姿勢が不安定になるが、車両用シート１が所定位置で停止しているので、起立操作は容易にできる。
請求項７の発明では、スライド用クランク７６とウォークイン用クランク８０を並設することにより、ウォークイン操作と前後位置調節操作とを独立させることができ、取付軸７７に同軸上に配置しているので、取付スペースも小さくすることができ、合理的構成にできる。
請求項８の発明では、前倒れの背凭シート３を後方に押して、車両用シート１を後方移動させることができ、ウォークインの復帰操作操作性を向上させることができ、ウォークインのときに前倒れさせた背凭シート３を、元の傾斜角度に復帰させる所謂メモリー機構の併存も容易にすることができる。
【発明を実施するための最良の形態】
【０００６】
本発明の一実施例を図面により説明すると、１は車両用シートであり、車両用シート１は、背凭シート３をリクライニング機構４により傾斜角度調節自在に取付け、前記座席シート２はスライド機構５を介して車体側に前後位置移動調節自在に取付ける。
車両用シート１には、背凭シート３を所定傾斜角度の着座位置から前倒れさせると、前記スライド機構５のスライドロック機構５Ａを解除してシート全体を前進させるウォークイン機構６を設ける。また、車両用シート１には、背凭シート３を前倒れさせると、座席ロック機構７のロックを解除させて座席シート２を起立させるチップアップ機構８を設ける。
【０００７】
しかして、スライド機構５のスライドレール９には、支持ブラケット１０を取付け、支持ブラケット１０には背凭フレーム１１を傾斜回動中心軸１４により回動自在に取付ける。支持ブラケット１０と背凭フレーム１１との間に前記リクライニング機構４を設ける。
リクライニング機構４の詳細は後述するが、リクライニング用操作レバー１５によりロックを解除すると、背凭フレーム１１は傾斜回動中心軸１４を中心に前後回動する。リクライニング用操作レバー１５は前記支持ブラケット１０にレバー取付軸１６により回動自在に取付け、リクライニング用操作レバー１５にはリンク杆１７の一端を軸１８により取付ける（図３）。リンク杆１７の他端には、空振孔１９を形成する。
【０００８】
空振孔１９には軸２０を挿通し、軸２０には回動アーム２１の先端の屈曲取付部２２を取付ける。回動アーム２１の基部は前記傾斜回動中心軸１４に固定状態に取付け、回動アーム２１を図６において左側（時計回転）に回動させることで、リクライニング機構４のロックを解除する。
２３は、アンロック状態に回動した前記回動アーム２１を保持するメモリーリンク杆であり、前記支持ブラケット１０に軸２４により回動自在に取付ける。メモリーリンク杆２３の先端にはメモリー係合部２５を形成する。メモリー係合部２５は、ウォークインのとき、回動アーム２１のアンロック係合面２６に係合してリクライニング機構４のロック解除状態（アンロック状態）を保持する。２７はカム突起、２８，２９はカム面である（図３）。
前記支持ブラケット１０には、前記メモリーリンク杆２３を、回動アーム２１に対して係脱させる切替作動体（ピン）３０を設ける。切替作動体３０は切替用アーム３１の先端側所定位置に設ける。切替用アーム３１は、その取付孔３２をレバー取付軸１６に挿通して支持ブラケット１０に回動自在に取付ける。切替作動体３０は、ウォークイン操作と単独の背凭シート３の傾斜調節操作とを切り替える。
【０００９】
切替作動体３０は、メモリーリンク杆２３のカム突起２７に当接すると、メモリーリンク杆２３を下方回動させて、メモリーリンク杆２３を回動アーム２１から離脱させ、アンロック保持状態を解放する（リクライニング機構４をロック状態にする）。
切替用アーム３１には、切替作動体３０を後述する案内溝３３の係合溝部３４に移動させるための操作規制面３５を形成し、操作規制面３５にはリクライニング用操作レバー１５に設けた規制突起３６を接離させる（図６）。
しかして、前記案内溝３３は前記支持ブラケット１０に形成し、案内溝３３は傾斜回動中心軸１４を中心とする略円弧状に長くかつ所定の幅を有して形成した案内溝部３７を有し、案内溝部３７の前端には案内溝部３７より放射方向外側に外れるように前記係合溝部３４を形成して、全体として略「へ」の字形状に形成する。
【００１０】
前記背凭フレーム１１には、前記切替作動体３０を移動させる当接部材３８を設ける（図３，図９）。当接部材３８の作動突起３９は背凭シート３を前倒れさせると、切替作動体３０に当接して、切替作動体３０を案内溝３３の案内溝部３７内を移動させる。当接部材３８には復帰用突起４０を設け、復帰用突起４０は案内溝部３７内の切替作動体３０を図１８において左側に移動させる。
この場合、切替用アーム３１はレバー取付軸１６を中心に回動し、当接部材３８は傾斜回動中心軸１４を中心に回動するため、当接部材３８が切替作動体３０を案内溝３３の案内溝部３７内を移動させうるように、切替用アーム３１と、当接部材３８と、案内溝３３とを相対的に配置構成する。
【００１１】
図中、４１はメモリーリンク杆２３のメモリー係合部２５を回動アーム２１のアンロック係合面２６に係合するように付勢するバネ、４２は背凭シート３を前倒れさせるように付勢するバネ、４３は回動アーム２１をロック方向に回動するように付勢するバネ、４４はケーブルであり、ケーブル４４の一端は回動アーム２１の係止部４５に係止する。ケーブル４４の他端は車両用シート１の所望位置に設けたウォークイン用操作部材４６に接続する。４７は切替用アーム３１とスライドロック機構５Ａとを連結するワイヤー等の伝達部材である。
【００１２】
しかして、前記ウォークイン機構６は、メモリーリンク杆２３と切替作動体３０（切替用アーム３１）と支持ブラケット１０の案内溝３３と当接部材３８とを有して構成し、リクライニング機構４のロックを解除して背凭シート３を前倒れさせ、次に、スライド機構５のロックを解除してシート全体を前進させる。また、メモリーリンク杆２３と切替作動体３０と支持ブラケット１０の案内溝３３と当接部材３８は、前倒しさせた背凭シートを、元に戻すとき、元の所定傾斜位置に復帰させるメモリー機構を兼用する。
しかして、前記座席シート２の左右両側の所定位置には、チップアップブラケット５１を設け、チップアップブラケット５１は取付軸（チップアップ軸）５２により支持ブラケット１０に回動自在に取付ける。取付軸５２にはチップアップ用バネ５２Ａを取付け（図２１、なお、図２１ではチップアップブラケット５１の図示省略）、チップアップ用バネ５２Ａは常時座席シート２を起立するように付勢する。
即ち、チップアップブラケット５１と軸５２によりチップアップ機構８を構成する。
【００１３】
前記チップアップ用バネ５２Ａの弾力は、座席シート２の自重と釣り合うように設定すると、座席シート２を跳ね上げる力を座席シート２の可動部の摺動抵抗と略等しくなるように構成でき、操作性を向上させることができ、好適である。
左右のチップアップブラケット５１のうちの何れか一方にはチップアップ作動軸５３を設け、チップアップ作動軸５３は支持ブラケット１０に形成した透孔５４より突出させる。透孔５４より突出させたチップアップ作動軸５３はチップアップリンク杆５８の案内溝５９に挿通する。案内溝５９は、直線状の空振部５９Ａと空振部５９Ａの略中間に下方に突き出る係合部５９Ｂにより「Ｔ字」形状に形成する。チップアップリンク杆５８の基部は切替用アーム３１の他端に軸５８Ａにより軸着する。
したがって、チップアップ作動軸５３とチップアップリンク杆５８と切替用アーム３１を有して、チップアップ機構８をウォークイン機構６に連動させる連動機構Ｒを構成している。
【００１４】
連動機構Ｒは、ウォークイン用操作部材４６により背凭シート３を前倒れさせると、切替作動体３０が案内溝部３７内を移動して切替用アーム３１を回動させるウォークイン機構６の作動を、切替用アーム３１とチップアップ作動軸５３とをチップアップリンク杆５８により連結することによりチップアップ機構８に伝達し、切替用アーム３１が回動するとチップアップリンク杆５８を前動させて係合部５９Ｂに係合しているチップアップ作動軸５３を押し、チップアップ作動軸５３はチップアップブラケット５１を取付軸５２中心に上方回動させて、座席シート２を跳ね上げる（チップアップ）。
【００１５】
即ち、チップアップ作動軸５３は、チップアップ用バネ５２Ａにより係合部５９Ｂに対して交差方向に付勢されているので、係合部５９Ｂに係合しているチップアップ作動軸５３は、係合部５９Ｂの内面に当接したままチップアップリンク杆５８と共に前動し、チップアップ作動軸５３はチップアップブラケット５１を取付軸５２中心に上方回動させする。
したがって、チップアップレバー６０を単独操作すると、チップアップリンク杆５８が軸５８Ａを中心に下方回動して、係合部５９Ｂがチップアップ作動軸５３より下方になると、チップアップ作動軸５３はチップアップ用バネ５２Ａの弾力により空振部５９Ａ内を図６において左動して、チップアップ用バネ５２Ａの弾力および／または手動操作により座席シート２を跳ね上げる。
【００１６】
チップアップリンク杆５８には、係合部５９Ｂにチップアップ作動軸５３を係合させるバネ５８Ｂを係止する。バネ５８Ｂは、チップアップリンク杆５８を常時軸５８Ａ中心に上方回動するように付勢し、係合部５９Ｂがチップアップ作動軸５３に係合するようにする。
係合部５９Ｂからチップアップ作動軸５３が外れたとき（チップアップレバー６０単独操作のとき）、座席シート２を元の着座位置に戻すと、チップアップリンク杆５８が軸５８Ａ中心に上方回動するように付勢されているから、係合部５９Ｂから外れたチップアップ作動軸５３は常時空振部５９Ａの下側内周に摺接することになり、座席シート２を元の着座位置に戻すようにしてチップアップ作動軸５３を後進させて係合部５９Ｂ上に至ると、チップアップリンク杆５８が上方回動して、係合部５９Ｂがチップアップ作動軸５３に係合する。
【００１７】
したがって、係合部５９Ｂとチップアップ作動軸５３は、ウォークイン機構６の作動を連動させるときに、外れることはなく、チップアップ作動軸５３はチップアップリンク杆５８とともに連動伝達部材となり、しかも、係合部５９Ｂは着座位置にチップアップ作動軸５３を保持するストッパ部材としても兼用され、合理的な構成となる。
また、前記係合部５９Ｂは、上方に至るに従い幅が広くなるように形成し、ウォークイン中に座席シート２を元に戻す方向に力が作用したとき、チップアップ作動軸５３が係合部５９Ｂから外れるように構成する。
また、案内溝５９の係合部５９Ｂとチップアップ作動軸５３により、座席シート２を着座位置に保持するストッパ作用を奏するが、これとは別に、座席シート２を着座位置に保持する座席ロック機構７を設けており、二重ロック構成にしている。この座席ロック機構７の構成は任意であるが、図２５に一例を示すと、６１はラッチ、６２はラチェット、６３は作動体である。
【００１８】
この場合、座席ロック機構７は左右の支持ブラケット１０のうちの一側に設け、左右の支持ブラケット１０のうちの他側にチップアップ機構８を設けると、支持ブラケット１０の周囲の空間を取付スペースとして有効利用でき、好適である（図２）。
しかして、前記スライド機構５のスライドロック機構５Ａの構成を、以下、図２２に一例を示すと、スライド機構５のスライドレール９は、車体側に固定のロアーレールにアッパーレールを前後摺動自在に取付け、アッパーレールに支持ブラケット１０を固定状態に取付ける。ロアーレール７０には、アッパーレール（図示省略）の移動方向に複数の係合孔７１を設ける（図２５）。係合孔７１にはスライドロック片７２を継脱させて、ロックとアンロックとに切替える。
【００１９】
スライドロック片７２にはスライドリンク杆７３の先端に軸着する。スライドリンク杆７３の前後中間部は軸７４により支持ブラケット１０に回動自在に取付ける。スライドリンク杆７３はスライドロック片７２がロックする方向に回動するようにバネ（図示省略）により付勢されている。
スライドリンク杆７３の後部には、平面（平板）状の当接部７５を形成し、当接部７５の上方には、スライド用クランク７６を設ける。スライド用クランク７６は取付軸７７により支持ブラケット１０に回動自在に軸着し、スライド用クランク７６の一端にはスライドリンク杆７３の当接部７５に接離するスライド用ローラ７８を取付ける。スライド用クランク７６の他端にはスライド操作部材７９Ａ（図２４）に接続したスライド操作伝達部材７９を接続する。
【００２０】
また、前記取付軸７７には、ウォークイン用クランク８０を回動自在に軸着し、ウォークイン用クランク８０の一端にはアーム８１の基部を軸８２により回動自在に取付ける。アーム８１の先端にはスライドリンク杆７３の当接部７５に接離するウォークイン用ローラ８３を取付ける。アーム８１はバネ８４により常時図２５において時計回転方向に付勢され、アーム８１に設けたストッパ８５をウォークイン用クランク８０に当接させている。
ウォークイン用クランク８０には前記切替用アーム３１に接続した伝達部材４７を接続する。ウォークイン用クランク８０は伝達部材４７によりウォークイン機構６と連動して回動し、ウォークイン用クランク８０がスライドリンク杆７３の当接部７５上面を押すと、スライドロック片７２が軸７４中心に下方回動することにより係合孔７１から離脱してスライド機構５をアンロックさせてウォークイン状態にする（図２９）。
【００２１】
また、ウォークイン用クランク８０のウォークイン用ローラ８３がスライドリンク杆７３の当接部７５から離れると、スライドリンク杆７３が軸軸７４中心に上方回動することによりスライドロック片７２が係合孔７１に係合してスライド機構５をロックする（図３１）。
スライド用クランク７６およびウォークイン用クランク８０は、それぞれ図示は省略するが、スライドリンク杆７３の当接部７５から離れる方向にバネにより付勢されている。
前記ウォークイン用ローラ８３の移動軌跡には、該移動軌跡に対して出退して前記ウォークイン用クランク８０を回動させるメモリー体８６を軸８７により回動自在に取付ける。メモリー体８６は上下に長く形成し、その上下中間部を軸８７により軸着する。メモリー体８６の下端移動軌跡上のロアーレール７０の所定位置には、ウォークインから復帰させるために後方スライドさせて車両用シート１を停止させる所定位置停止用ストッパ８８を設ける。
【００２２】
即ち、メモリー体８６は、車両用シート１を後方移動させると、所定位置停止用ストッパ８８に当接し、所定位置停止用ストッパ８８に当接すると、メモリー体８６の上部は図３０において、時計回転してウォークイン用ローラ８３にのみ当接し、スライド用クランク７６のスライド用ローラ７８スライド用クランク７６のスライド用ローラ７８には当接しないように構成する。
換言すると、スライド用クランク７６のスライド用ローラ７８は手前にあり、ウォークイン用ローラ８３は奥側に位置させ、この奥側のウォークイン用ローラ８３にのみメモリー体８６の上部を当接させる。
【００２３】
したがって、スライド操作部材による操作では、所定位置停止用ストッパ８８にメモリー体８６が当接して回動しても、メモリー体８６はスライド用クランク７６のスライド用ローラ７８に当接しないので、所定位置停止用ストッパ８８よりも後方に車両用シート１をスライド移動させることができる。
それゆえ、背凭シート３を前倒れ状態から後方にスライドさせて所定位置停止用ストッパ８８にメモリー体８６が当たると、車両用シート１の後方移動は停止し、スライド機構５はスライドロック状態に復帰し、次に、背凭シート３を着座状態に戻すと、ウォークイン復帰操作は完了する。
【００２４】
なお、メモリー体８６はバネ８９により常時、所定起立状態に保持され、しかも、ストッパ８８が当接すると、正逆何れの方向にも回動する（図２８）。
しかして、前記リクライニング機構４の一例を図３５，３６に示すと、嵌合支持兼ガイド部材９０を有し、嵌合支持兼ガイド部材９０は側方に膨出する膨出部９１により摺動ロック部材９２が摺動するロック摺動溝９５を形成する。
前記摺動ロック部材９２は摺動方向の一方面にロックギヤ部９６を形成し、摺動ロック部材９２の中間部には略円形で前後いずれかを開口したカム溝９７を形成する。カム溝９７内にはカム体９８を嵌合させ、カム体９８には傾斜回動中心軸１４に固定する。
【００２５】
前記膨出部９１の外周にはリング部材９９の正円形の嵌合孔１００を嵌合させ、嵌合孔１００の内周面には前記摺動ロック部材９２のロックギヤ部９６が継脱する円弧ギヤ１０１を形成する。
前記嵌合支持兼ガイド部材９０と前記リング部材９９によりシートのリクライニング機構４を構成することは可能であるが、本実施例では、リング部材９９の外側に他方側嵌合支持兼ガイド部材１０２を設け、リング部材９９を嵌合支持兼ガイド部材９０と他方側嵌合支持兼ガイド部材１０２とにより挟持し、リクライニング機構４として完成させ、取付・組付を容易にしている。
【００２６】
図中、１０３はウォークイン用操作部材４６と座席ロック機構７を連結する伝達部材、１０４はチップアップレバー６０と座席ロック機構７とを連結する伝達部材、１０５はチップアップレバー６０とチップアップ機構８とを連結する伝達部材、１０６はウォークイン機構６（切替用アーム３１）と座席ロック機構７を連結する伝達部材である。
【００２７】
（実施例の作用）
背凭シート３の所望位置に設けたウォークイン用操作部材４６を操作すると、まず、リクライニング機構４がアンロック状態になって背凭シート３が前倒れし、次に、背凭シート３の前倒れによりスライド機構５のロックを解除してシート全体を前進させ、前進させたシート後方の車両用シート１との間に、人が乗降可能な乗降空間を形成して、ウォークイン状態となる（なお、ウォークイン機構６にチップアップ機構８およびスライドロック機構５Ａが連動するが、理解を容易にするため、チップアップ機構８およびスライドロック機構５Ａの連動は後述する）。
以下、具体的作動を説明する。
【００２８】
（ウォークイン）
ウォークイン用操作部材４６を操作すると、ケーブル４４が牽引され、ケーブル４４は回動アーム２１を図５において左側に回動させ、回動アーム２１は傾斜回動中心軸１４を時計回転させてリクライニング機構４をアンロック状態にする（図９）。
この場合、リクライニング用操作レバー１５は操作されていないので、軸２０は回動アーム２１の回動によりリンク杆１７の空振孔１９内を移動し、リンク杆１７は動かず、もちろん、リクライニング用操作レバー１５も動かない（図９）。
したがって、詳細は後述するが、リクライニング用操作レバー１５の規制突起３６は切替用アーム３１の操作規制面３５に当接しないので、切替作動体３０は案内溝３３の案内溝部３７内に位置している。
【００２９】
しかして、回動アーム２１の左側回動により、背凭シート３が着座位置より前倒れすると（図１０）、背凭シート３の当接部材３８の作動突起３９が切替作動体３０に当たり、背凭シート３の前倒れにより作動突起３９は切替作動体３０を支持ブラケット１０の案内溝３３の案内溝部３７内を図９において右移動させる。
切替作動体３０が右移動してメモリーリンク杆２３のカム突起２７を通過すると（図１０）、メモリーリンク杆２３はバネ４１の弾力により上方回動し、メモリーリンク杆２３のメモリー係合部２５が回動アーム２１のアンロック係合面２６に係合する。
【００３０】
メモリーリンク杆２３のメモリー係合部２５が回動アーム２１のアンロック係合面２６に係合すると、回動アーム２１はアンロック状態の位置で保持され、背凭シート３は更に前倒れする。ウォークインの位置まで背凭シート３が前倒れすると、切替用アーム３１が回動して伝達部材４７を牽引してスライド機構５のロックを解除してシート全体を前進させてウォークイン状態にする。
しかして、ウォークインの位置まで背凭シート３が前倒れすると、図１４の状態になり、切替作動体３０は案内溝３３の案内溝部３７の右側に位置し、メモリーリンク杆２３のメモリー係合部２５は回動アーム２１のアンロック係合面２６に係合している。
【００３１】
そして、スライド機構５はアンロック状態のままであるから、ウォークイン状態から車両用シート１を後方移動させる。
次に、背凭シート３を起こすと、図１４の状態から当接部材３８の復帰用突起４０が切替作動体３０を、案内溝部３７内を左側に向けて移動させる（図１５）。切替作動体３０が左移動してメモリーリンク杆２３のカム突起２７を通過すると、メモリーリンク杆２３のメモリー係合部２５はバネ４１の弾力に抗して下方回動し、メモリーリンク杆２３のメモリー係合部２５は回動アーム２１のアンロック係合面２６から離脱する。
【００３２】
メモリーリンク杆２３のメモリー係合部２５が離脱すると、回動アーム２１はバネ４３の弾力によりロック状態へ回動する。
即ち、切替作動体３０が左移動してメモリーリンク杆２３のカム突起２７を通過するとき、背凭シート３は元の所定傾斜角度になっており、このとき、回動アーム２１が右回動してリクライニング機構４をロック状態になるので、背凭シート３を元の傾斜角度に復帰させて保持する。
また、切替作動体３０が左移動してメモリーリンク杆２３のカム突起２７を通過すると、切替用アーム３１は伝達部材４７を緩めてスライド機構５をロックさせる。
したがって、メモリー機構を有しないリクライニング機構４を使用しながら、ウォークイン機構６によりウォークインさせて復帰させると背凭シート３を元の傾斜角度に復帰させることができ、安価なリクライニング機構４で、しかも、取付を容易にして、合理的構成となる。
【００３３】
（リクライニング）
リクライニング機構４による背凭シート３の傾斜角度調節時のウォークイン機構６の作動を説明すると、リクライニング用操作レバー１５を操作すると、リクライニング用操作レバー１５はリンク杆１７を牽引し、リンク杆１７の空振孔１９の内周が軸２０に当接して軸２０を牽引し、軸２０は回動アーム２１を図１６のように左側に回動させ、回動アーム２１は傾斜回動中心軸１４を時計回転させてリクライニング機構４をアンロック状態にする。
このリクライニング用操作レバー１５の操作のとき、リクライニング用操作レバー１５の規制突起３６は切替用アーム３１の操作規制面３５に当接し、切替用アーム３１はレバー取付軸１６に対して図１９の矢印のように全体が斜めに移動するので、切替作動体３０が支持ブラケット１０の案内溝３３の係合溝部３４に嵌合する。
【００３４】
背凭シート３の前倒れによる作動突起３９の移動軌跡から切替作動体３０は退避するので（図１７）、切替作動体３０は背凭シート３のリクライニング調節している間常時メモリーリンク杆２３を下方に退避させ、メモリーリンク杆２３のメモリー係合部２５を回動アーム２１のアンロック係合面２６に係合させない。
リクライニング機構４がアンロック状態のときに、背凭シート３を所望の傾斜角度に調節し、リクライニング用操作レバー１５を離すと、回動アーム２１はバネ４３の弾力により図１６の右側へ回動し、回動アーム２１の右回動により傾斜回動中心軸１４が回転して、リクライニング機構４をロック状態にし、背凭シート３を所望の傾斜角度に保持する。
【００３５】
以上のように、リクライニング用操作レバー１５の操作のときには、リクライニング機構４を単独で操作でき、ウォークイン機構６を作動させないので、仮に、背凭シート３を前倒れさせても、切替用アーム３１は回動しないので、スライド機構５はアンロックにはならず、ウォークインしない。したがって、誤操作を防止する。
【００３６】
（ウォークインのときのチップアップ）
ウォークイン用操作部材４６を操作すると、ケーブル４４が牽引されて回動アーム２１を図５において左側に回動させ、通常の傾斜調節でなく、ウォークイン操作によるリクライニング機構４のアンロック状態となる。
したがって、前記したように、リクライニング用操作レバー１５の規制突起３６は切替用アーム３１の操作規制面３５に当接しないので、切替作動体３０は案内溝３３の案内溝部３７内に位置している。
次に、リクライニング機構４がアンロック状態になったので、背凭シート３を着座位置より前倒れさせると、背凭シート３の当接部材３８の作動突起３９が切替作動体３０を支持ブラケット１０の案内溝３３の案内溝部３７内を図９において右移動させる。
【００３７】
切替作動体３０の右移動によりメモリーリンク杆２３のメモリー係合部２５が回動アーム２１のアンロック係合面２６に係合する。
この切替作動体３０の右移動は、レバー取付軸１６を中心に切替用アーム３１が回動して行われ（図５から図１４）、切替用アーム３１にはチップアップリンク杆５８の後部が軸５８Ａにより軸着されているから、切替用アーム３１はチップアップリンク杆５８を前進移動させる。
チップアップリンク杆５８の案内溝５９の係合部５９Ｂにはチップアップブラケット５１に固定のチップアップ作動軸５３が係合しているから、チップアップ作動軸５３はチップアップリンク杆５８の係合部５９Ｂにより押されて、チップアップブラケット５１を上方回動させ、座席シート２をチップアップさせる（図１４）。
【００３８】
座席シート２がチップアップして、背凭シート３が更にウォークインの位置まで前倒れすると、ウォークイン機構６の切替用アーム３１が回動しているので、伝達部材４７がこれを伝達してスライド機構５のスライドロック機構５Ａを解除してシート全体を前進させてウォークイン状態にする。
したがって、ウォークイン用操作部材４６を操作すると、背凭シート３が前倒れになって、座席シート２がチップアップした状態で、シート全体を前進させてウォークイン状態にする。
【００３９】
しかして、復帰させるときには、ウォークイン状態の前倒れの背凭シート３のまま、車両用シート１全体を元の所定位置まで後進させる。
すると、前記したように、図１４の状態であり、切替作動体３０は案内溝３３の案内溝部３７の右側に位置し、メモリーリンク杆２３のメモリー係合部２５は回動アーム２１のアンロック係合面２６に係合している。
次に、背凭シート３を起こすと、図１４の状態から当接部材３８の復帰用突起４０が切替作動体３０を、案内溝部３７内を左側に向けて移動させて（図１５）、メモリーリンク杆２３のメモリー係合部２５は回動アーム２１のアンロック係合面２６から離脱させるが（図８）、切替作動体３０の案内溝部３７内の左側移動により、切替用アーム３１の軸５８Ａは図１４から図５へ後方移動してチップアップリンク杆５８を後方に牽引させる。
【００４０】
チップアップリンク杆５８が後方に移動すると、チップアップリンク杆５８の係合部５９Ｂに係合しているチップアップ作動軸５３は後方移動して、チップアップブラケット５１を下方回動させ、チップアップさせた座席シート２を元の着座状態に復帰させる。
したがって、ウォークイン機構６に際して作動する切替作動体３０および切替用アーム３１の移動に、チップアップリンク杆５８を連動させたので、チップアップ機構８をウォークイン機構６に簡単に連動させて、座席シート２を復帰させ、ウォークイン機構６操作を簡単にさせる。
なお、図１４では、背凭フレーム１１がかなり傾斜しているが、背凭フレーム１１の前倒れの傾斜角度は任意であり、背凭シート３の当接部材３８の作動突起３９の取付位置や支持ブラケット１０の案内溝３３の位置等の設定によって、図１のように背凭シート３が略垂直状態の前倒れでも、チップアップおよびウォークインさせることができ、図面は作動を理解を容易にするためのもので、これにより構成が限定されることはない。
【００４１】
（単独チップアップ）
座席シート２はチップアップ用バネ５２Ａにより常時起立する方向に付勢されているから、チップアップ作動軸５３は常時空振部５９Ａ内を前進するように付勢されている。
一方、チップアップリンク杆５８はバネ５８Ｂにより常時軸５８Ａ中心に上方回動するように付勢されているから、チップアップレバー６０を単独操作すると、チップアップリンク杆５８は軸５８Ａを中心に下方回動し、係合部５９Ｂからチップアップ作動軸５３は外れ、チップアップ作動軸５３は空振部５９Ａ内の移動が自由になって、手動操作またはバネ弾力による座席シート２は跳ね上がりと共に、チップアップ作動軸５３は図２０のように左動する。
【００４２】
チップアップリンク杆５８はバネ５８Ｂにより常時軸５８Ａ中心に上方回動するように付勢されているから、係合部５９Ｂから外れたチップアップ作動軸５３は常時空振部５９Ａの下側内周に摺接することになり、チップアップ作動軸５３が係合部５９Ｂ上に至るとチップアップリンク杆５８が上方回動して、係合部５９Ｂがチップアップ作動軸５３に係合する。
したがって、係合部５９Ｂがチップアップ作動軸５３に係合するように、チップアップリンク杆５８がバネ５８Ｂにより常時上方回動方向に付勢され、チップアップ作動軸５３は係合部５９Ｂに対して交差方向にチップアップ用バネ５２Ａにより付勢されているから、係合部５９Ｂとチップアップ作動軸５３は、ウォークイン機構６の作動を連動させるときに、外れことはなく、チップアップ作動軸５３はチップアップリンク杆５８とともに連動伝達部材となり、しかも、係合部５９Ｂは着座位置にチップアップ作動軸５３を保持するストッパ部材としても兼用され、合理的な構成となる。
【００４３】
なお、係合部５９Ｂは、上方に至るに従い幅が広くなるように形成しても、係合部５９Ｂとチップアップ作動軸５３は、ウォークイン機構６の作動を連動させるときに、外れことはなく、しかも、ウォークイン中のとき座席シート２を元に戻す方向に力が作用したとき、チップアップ作動軸５３が係合部５９Ｂから外れるように構成することができるので、座席シート２を元に戻す方向に力が作用したとき、チップアップ作動軸５３が係合部５９Ｂから外れ、破損するのを防止する。
【００４４】
（通常のシートの前後移動）
スライド機構５のスライドレール９は、車体側に固定のロアーレールにアッパーレールを前後摺動自在に取付け、アッパーレールに支持ブラケット１０を固定状態に取付け、ロアーレール７０には、アッパーレールの移動方向に複数の係合孔７１を設け、係合孔７１にはスライドリンク杆７３の先端に軸着したスライドロック片７２が係合しているから、スライドロック機構５Ａはロック状態となる（図２５）。
スライドリンク杆７３の後部上方には、スライド用クランク７６を設けているから、スライド操作部材を操作すると、スライド操作伝達部材７９がスライド用クランク７６を回動させ、スライド用クランク７６のスライド用ローラ７８はスライドリンク杆７３の当接部７５を下方に押し、次に、スライドロック片７２が軸軸７４中心に下方回動することにより係合孔７１から離脱してスライド機構５をアンロックさせて、位置調節可能状態となる（図２６）。
【００４５】
次に、この状態で、車両用シート１を前後移動させて所望位置にで停止させ、スライド操作部材から手を離すと、スライド用クランク７６は元に戻り、スライド用ローラ７８はスライドリンク杆７３の当接部７５より上方に退避する。
スライド用ローラ７８が上方に退避すると、スライドリンク杆７３の後部は上方回動してスライドロック片７２を下方回動させて、スライドロック機構５Ａをロックさせる。
したがって、通常の車両用シート１の前後移動調節中は、スライド操作部材により伝達部材７９を牽引を継続する必要があり、スライド操作部材から手を離すと、スライド用クランク７６は元に戻り、スライドロック機構５Ａをロックさせる。
【００４６】
この場合、メモリー体８６はスライドリンク杆７３の当接部７５より内側に位置し、スライド用クランク７６はウォークイン用クランク８０の外側に位置させているから、メモリー体８６はスライド用クランク７６のスライド用ローラ７８には如何なるときにも当接しない。したがって、通常の車両用シート１の前後調節のときには、所定位置停止用ストッパ８８とは無関係に位置調節行える。
【００４７】
（ウォークインのときのシートの移動）
ウォークイン用操作部材４６を操作すると、ケーブル４４が牽引されて回動アーム２１を図５において左側に回動させ、通常の傾斜調節でなく、ウォークイン操作によるリクライニング機構４のアンロック状態となり、背凭シート３を前倒れさせると、前記のように、切替用アーム３１が回動し、操作伝達部材４７を牽引し、操作伝達部材４７は、ウォークイン用クランク８０をウォークイン機構６と連動させて回動させ、ウォークイン用クランク８０はスライドリンク杆７３の後部を下方に押して、スライドロック片７２が軸７４中心に下方回動することにより係合孔７１から離脱してスライド機構５をアンロックを保持させてウォークイン状態にする（図２９）。
【００４８】
しかして、背凭シート３を前倒れさせた状態で、車両用シート１を後方移動させると、所定位置でメモリー体８６の下部が所定位置停止用ストッパ８８に当接し、メモリー体８６は図２９において時計回転し、メモリー体８６の上部はウォークイン用ローラ８３に当たり（図３０）、メモリー体８６はアーム８１の基部中心にウォークイン用ローラ８３を回動させる。
ウォークイン用ローラ８３が後方に退避すると、スライドリンク杆７３の後部は上方回動して、スライドロック片７２を下方回動させて、スライドロック機構５Ａをロックさせる。
【００４９】
次に、前倒れさせている背凭シート３を起立させると、前記のように、切替用アーム３１が回動し、操作伝達部材４７を緩めて、これにより、ウォークイン用クランク８０はバネ弾力により元の位置に向けて復帰回動を開始する。
この場合、操作伝達部材４７により牽引されてウォークイン用クランク８０がウォークインの状態のとき、ウォークイン用ローラ８３のアーム８１は、ウォークイン用ローラ８３がメモリー体８６の上部より上方に位置するまで、軸８２中心に図３１の状態で反時計回転方向には回動自由に設定されているから、ウォークイン用クランク８０が復帰回動に伴って、メモリー体８６の上部に当接しているウォークイン用ローラ８３は、アーム８１が軸８２中心に図３１の状態で反時計回転方向には回動しながらメモリー体８６の上部を通過し、ウォークイン用クランク８０にストッパ８５が当接するまで、ウォークイン用ローラ８３はバネ８４の弾力により元の位置に復帰回動し、ウォークイン用クランク８０も元の位置へ復帰する。
したがって、メモリー体８６はウォークイン用ローラ８３と所定位置停止用ストッパ８８との両方に当接するが、ウォークイン用ローラ８３が退避するので、メカロックは防止され、所定位置に設けた所定位置停止用ストッパ８８に、メモリー体８６が当接することにより、スライドロック機構５Ａをロックさせることができ、ウォークインの復帰操作を容易にする。
【００５０】
この場合、メモリー体８６はスライドリンク杆７３の当接部７５より内側に位置し、スライド用クランク７６はウォークイン用クランク８０の外側に位置させているから、メモリー体８６はスライド用クランク７６のスライド用ローラ７８にはいかなるときにも当接しない。したがって、通常の車両用シート１の前後調節のときには、所定位置停止用ストッパ８８とは無関係に位置調節行える。
なお、通常の車両用シート１の前後位置調節のとき、所定位置停止用ストッパ８８にメモリー体８６は当接するが、操作伝達部材４７により、ウォークイン用クランク８０が回動していないとき（非ウォークイン状態）、ウォークイン用ローラ８３はメモリー体８６の上部よりも上方に位置しているので、メモリー体８６が所定位置停止用ストッパ８８に当接して回動するだけで、所定位置停止用ストッパ８８を乗り越えたメモリー体８６は所定位置に復帰する（車両用シート１を前方移動させたときに、所定位置停止用ストッパ８８にメモリー体８６が当接しても、回動方向が反対になるだけで、それ以外の点は同様である）。
【００５１】
この場合、メモリー体８６はバネ８９（図２８）により常時、所定起立状態に保持され、しかも、ストッパ８８が当接すると、正逆何れの方向にも回動して、正逆何れの方向からもバネ８９の弾力により所謂センター復帰のように当初の所定起立位置に復帰する。
しかして、スライドリンク杆７３の後部には、平面（平板）状の当接部７５を形成しているので、スライド用クランク７６のスライド用ローラ７８およびウォークイン用クランク８０のウォークイン用ローラ８３の両方を、スライドリンク杆７３に確実に当接させることができ、スライド用クランク７６とウォークイン用クランク８０の操作の切替およびロック・アンロックを確実に行える。
【００５２】
ウォークイン用ローラ８３はアーム８１の先端に取付け、アーム８１はウォークイン用クランク８０に回動自在に取り付けているので、ウォークイン用ローラ８３が当接部７５から退避させてスライドロック機構５Ａをロックさせたとき、背凭シート３は前倒れのままで行える。
したがって、背凭シート３が前倒れの状態で車両用シート１を後方移動させ、所定位置で車両用シート１を停止させてスライドロック機構５Ａをロックさせ、次に、背凭シート３を起こすという一連操作になるので、誤操作を防止して、ウォークイン操作の操作性を向上させる。
【００５３】
即ち、背凭シート３が通常着座可能な傾斜の起立した状態のままで、車両用シート１全体が後方移動可能になると、ウォークイン復帰操作の終了が認識できず、背凭シート３が起立した状態の車両用シート１でありながらスライドロック機構５Ａがアンロックになるという不具合が発生することになるが、本願では、これを防止する。
また、ウォークインの前方位置からの復帰の際に、背凭シート３が前倒れの状態で車両用シート１を後方移動させてる途中の、ストッパ８８より手前所望位置で、背凭シート３を起こすと、切替作動体３０の案内溝部３７内の左側移動により、切替用アーム３１は回動して、操作伝達部材４７を緩めて、ウォークイン用クランク８０が元の位置に回動し、ウォークイン用ローラ８３がスライドリンク杆７３の後部上面から退避して、スライドロック機構５Ａをロックさせる。
【００５４】
したがって、一旦、ストッパ８８のある所定位置にまで後方移動させて、背凭シート３を起こしてから、再び、前進させなくても、ウォークイン状態から直接背凭シート３を起こすだけで、車両用シート１の前後位置調節も行え、誤操作を防止するだけでなく、他の操作性を向上させる。
この場合、車両用シート１を後方移動させる際のスライドロック機構５Ａの抵抗より背凭シート３を前倒れさせるバネ４２の弾力を強くすると、前倒れさせた背凭シート３を後方に押しても、背凭シート３は起立しないから、一層、誤操作防止および操作性の向上の点から、好適である。
なお、理解を容易にするため、図１０等において、回動アーム２１の屈曲取付部２６の図示を省略しているが、これにより、構成が限定されることはない。
【図面の簡単な説明】
【００５５】
【図１】リクライニングおよびスライド状態と、ウォークイン状態（チップアップ）の説明側面図。
【図２】シートのフレーム概略斜視図。
【図３】ウォークイン機構の分解斜視図。
【図４】ウォークイン機構を省略した側面図。
【図５】背凭シートの起立状態側面図。
【図６】背凭シートが起立状態のときの回動アームの側面図。
【図７】同斜視図。
【図８】同一部を省略して当接部材の位置を示す側面図。
【図９】リクライニング装置をアンロックにした状態の側面図。
【図１０】背凭シートの前倒れを開始した状態の側面図。
【図１１】メモリーリンク杆のメモリー係合部と回動アームのアンロック係合面との係合状態側面図。
【図１２】同斜視図。
【図１３】ウォークインのときの背凭シートの前倒れ状態の側面図。
【図１４】チップアップさせた状態の側面図。
【図１５】背凭シートの起こし始めた状態の側面図。
【図１６】リクライニング用操作レバーを操作した状態の側面図。
【図１７】傾斜調節のときの背凭シートの前倒れ時の作動突起と切替作動体との位置関係を示す側面図。
【図１８】同背凭シートの前倒れ状態の側面図。
【図１９】傾斜調節のときのウォークイン機構とチップアップリンク杆との位置関係を示す側面図。
【図２０】チップアップ単独操作のときの側面図。
【図２１】座席ロック機構の一例を示す斜視図。
【図２２】スライド機構の斜視図（レール省略）。
【図２３】同概略斜視図。
【図２４】同分解斜視図。
【図２５】単独スライド調節時のロック状態の側面図。
【図２６】同アンロック状態の側面図。
【図２７】ウォークイン用クランクの斜視図。
【図２８】ウォークイン前のときのスライドロック状態の側面図。
【図２９】ウォークインで背凭シートを前倒れさせたときのスライドアンロック状態の側面図。
【図３０】ウォークイン復帰させるための後方移動中のスライドアンロック状態の側面図。
【図３１】ウォークイン復帰の所定位置でのスライドロック状態の側面図。
【図３２】ウォークイン用クランクのアンロックへの移行状態の側面図。
【図３３】ウォークイン用クランクのアンロックからロックへの移行状態の側面図。
【図３４】ウォークイン用クランクのロックから元の位置（背凭シートの起立）への移行状態の側面図。
【図３５】リクライニング機構の分解図。
【図３６】同側面図。
【符号の説明】
【００５６】
１…車両用シート、２…座席シート、３…背凭シート、４…リクライニング機構、５…スライド機構、６…ウォークイン機構、１０…支持ブラケット、１１…背凭フレーム、１４…傾斜回動中心軸、１５…リクライニング用操作レバー、１６…軸、１７…リンク杆、１８…軸、１９…空振孔、２０…軸、２１…回動アーム、２２…屈曲取付部、２３…メモリーリンク杆、２４…軸、２５…メモリー係合部、２６…アンロック係合面、２７…カム突起、３０…切替作動体、３１…切替用アーム、３２…軸、３３…案内溝、３４…係合溝部、３５…操作規制面、３６…規制突起、３７…案内溝部、３８…当接部材、３９…作動突起、４０…復帰用突起、４１…バネ、４２…バネ、４３…バネ、４４…ケーブル、４５…係止部、５１…チップアップブラケット、５２…取付軸、５２Ａ…チップアップ用バネ、５３…チップアップ作動軸、５４…透孔、５８…チップアップリンク杆、５８Ａ…軸、５８Ｂ…バネ、５９…案内溝、５９Ａ…空振部、５９Ｂ…係合部、６０…チップアップレバー、７０…ロアーレール、７１…係合孔、７２…スライドロック片、７３…スライドリンク杆、７４…軸、７５…当接部、７６…スライド用クランク、７７…取付軸、７８…スライド用ローラ、７９…スライド操作伝達部材、８０…ウォークイン用クランク、８１…アーム、８３…ウォークイン用ローラ、８４…バネ、８５…ストッパ、８６…メモリー体、８７…軸、８８…所定位置停止用ストッパ。
【図１】
2008068721.tif 000003
【図２】
2008068721.tif 000004
【図３】
2008068721.tif 000005
【図４】
2008068721.tif 000006
【図５】
2008068721.tif 000007
【図６】
2008068721.tif 000008
【図７】
2008068721.tif 000009
【図８】
2008068721.tif 000010
【図９】
2008068721.tif 000011
【図１０】
2008068721.tif 000012
【図１１】
2008068721.tif 000013
【図１２】
2008068721.tif 000014
【図１３】
2008068721.tif 000015
【図１４】
2008068721.tif 000016
【図１５】
2008068721.tif 000017
【図１６】
2008068721.tif 000018
【図１７】
2008068721.tif 000019
【図１８】
2008068721.tif 000020
【図１９】
2008068721.tif 000021
【図２０】
2008068721.tif 000022
【図２１】
2008068721.tif 000023
【図２２】
2008068721.tif 000024
【図２３】
2008068721.tif 000025
【図２４】
2008068721.tif 000026
【図２５】
2008068721.tif 000027
【図２６】
2008068721.tif 000028
【図２７】
2008068721.tif 000029
【図２８】
2008068721.tif 000030
【図２９】
2008068721.tif 000031
【図３０】
2008068721.tif 000032
【図３１】
2008068721.tif 000033
【図３２】
2008068721.tif 000034
【図３３】
2008068721.tif 000035
【図３４】
2008068721.tif 000036
【図３５】
2008068721.tif 000037
【図３６】
2008068721.tif 000038
【手続補正書】
【提出日】平成18年12月26日(2006.12.26)
【手続補正１】
【補正対象書類名】図面
【補正対象項目名】図３
【補正方法】変更
【補正の内容】
【図３】
2008068721.tif 000039
【手続補正２】
【補正対象書類名】図面
【補正対象項目名】図２２
【補正方法】変更
【補正の内容】
【図２２】
2008068721.tif 000040
【手続補正３】
【補正対象書類名】図面
【補正対象項目名】図２３
【補正方法】変更
【補正の内容】
【図２３】
2008068721.tif 000041
【手続補正４】
【補正対象書類名】図面
【補正対象項目名】図２４
【補正方法】変更
【補正の内容】
【図２４】
2008068721.tif 000042
【手続補正５】
【補正対象書類名】図面
【補正対象項目名】図２５
【補正方法】変更
【補正の内容】
【図２５】
2008068721.tif 000043
【手続補正６】
【補正対象書類名】図面
【補正対象項目名】図２６
【補正方法】変更
【補正の内容】
【図２６】
2008068721.tif 000044
【手続補正７】
【補正対象書類名】図面
【補正対象項目名】図２７
【補正方法】変更
【補正の内容】
【図２７】
2008068721.tif 000045
【手続補正８】
【補正対象書類名】図面
【補正対象項目名】図２８
【補正方法】変更
【補正の内容】
【図２８】
2008068721.tif 000046
【手続補正９】
【補正対象書類名】図面
【補正対象項目名】図２９
【補正方法】変更
【補正の内容】
【図２９】
2008068721.tif 000047
【手続補正１０】
【補正対象書類名】図面
【補正対象項目名】図３０
【補正方法】変更
【補正の内容】
【図３０】
2008068721.tif 000048
【手続補正１１】
【補正対象書類名】図面
【補正対象項目名】図３１
【補正方法】変更
【補正の内容】
【図３１】
2008068721.tif 000049
【手続補正１２】
【補正対象書類名】図面
【補正対象項目名】図３２
【補正方法】変更
【補正の内容】
【図３２】
2008068721.tif 000050
【手続補正１３】
【補正対象書類名】図面
【補正対象項目名】図３３
【補正方法】変更
【補正の内容】
【図３３】
2008068721.tif 000051
【手続補正１４】
【補正対象書類名】図面
【補正対象項目名】図３４
【補正方法】変更
【補正の内容】
【図３４】
2008068721.tif 000052